(57)【要約】【課題】画面を表示する際に実行される処理を簡素化することで、ＣＰＵの負荷を軽減する。【解決手段】所定のボーレートで変調され出力されたデータ信号ＤＳ１を、当該ボーレートの８倍のレートで読み込む。これにより、１ビットのデータが、液晶素子が要求する８ビットのデータに変換される。この処理を、シリアルインタフェース２１ｃやシリアルインタフェース２１ｄなどのハードウエアによって実現することで、ＣＰＵ２１ａの負荷を低減することができる。【選択図】図２
2011244242.tif 000002
【特許請求の範囲】
【請求項１】
画像のデジタルデータを、第１のレートで変調して出力する第１出力手段と、
前記第１のレートで変調された前記デジタルデータを、前記第１のレートよりも高い第２のレートで読み込み、読み込んだ前記デジタルデータを順次出力する第２出力手段と、
前記第２出力手段から出力された前記デジタルデータを記憶する記憶手段と、
前記記憶手段に記憶された前記デジタルデータによって規定される画像を表示する表示手段と、
を備える表示ユニット。
【請求項２】
前記第１出力手段は、前記第１のレートで前記デジタルデータを１ビットの単位データごとに変調して出力し、
前記第２出力手段は、前記単位データを、前記第２のレートで読み込み、読み込んだ前記単位データを、前記第２のレートを前記第１のレートで除したビット数の変換データとして出力する請求項１に記載の表示ユニット。
【請求項３】
前記第２出力手段は、前記単位データの出力に同期する第１のクロック信号を逓倍して得られる第２のクロック信号に同期して、前記単位データを読み込み、出力する請求項２に記載の表示ユニット。
【請求項４】
前記単位データの出力に同期する第１のクロック信号の周期の整数倍の時間ごとにハイレベルとなるパルス信号がローレベルのときに、前記第１出力手段から出力される前記単位データを出力し、前記パルス信号がハイレベルのときに、所定のデータを出力する選択手段を更に備え、
前記第２出力手段は、前記第１のクロック信号を逓倍して得られる第２のクロック信号と、前記パルス信号とが合成されることによって生成されるデジタル信号に同期して、前記選択手段から出力されるデータを読み込み、出力する請求項２に記載の表示ユニット。
【請求項５】
前記単位データの出力に同期する第１のクロック信号の周期の整数倍の時間ごとにローレベルとなるパルス信号がハイレベルのときに、前記第１出力手段から出力される前記単位データを出力し、前記パルス信号がローレベルのときに、所定のデータを出力する選択手段を更に備え、
前記第２出力手段は、前記第１のクロック信号を逓倍して得られる第２のクロック信号と、前記パルス信号とが合成されることによって生成されるデジタル信号に同期して、前記選択手段から出力されるデータを読み込み、出力する請求項２に記載の表示ユニット。
【請求項６】
前記第１のレートはボーレートである請求項１乃至５のいずれか一項に記載の表示ユニット。
【請求項７】
前記記憶手段はＶＲＡＭであり、
前記表示手段は、液晶表示素子である請求項１乃至６のいずれか一項に記載の表示ユニット。
【請求項８】
前記第２のレートは、前記液晶表示素子のフォーマットに基づいて規定される請求項７に記載の表示ユニット。
【請求項９】
画像のデジタルデータを、第１のレートで変調して出力する工程と、
前記第１のレートで変調された前記デジタルデータを、前記第１のレートよりも高い第２レートで読み込み、読み込んだ前記デジタルデータを出力する工程と、
出力された前記デジタルデータによって規定される画像を表示する工程と、
を含む表示方法。
【請求項１０】
ユーザからの指令を受け付けるためのインタフェースと、
前記ユーザからの指令に基づいて、デジタルデータによって規定される画像を表示する請求項１乃至８のいずれか一項に記載の表示ユニットと、
を備えるリモートコントロール装置。
【発明の詳細な説明】
【技術分野】
【０００１】
本発明は、表示ユニット、表示方法及びリモートコントロール装置に関し、更に詳しくは、デジタルデータによって規定される画像を表示する表示ユニット、デジタルデータによって規定される画像を表示するための表示方法、及び前記表示ユニットを備えるリモートコントロール装置に関する。
【背景技術】
【０００２】
工場やビル内に設置される空気調和装置などの設備機器は、当該設備機器を操作するためのリモートコントロール装置と連動して動作する。この種のリモートコントロール装置の液晶ディスプレイには、室温などが表示されるほか、電源切り替えスイッチや設定温度変更スイッチなどが表示される（例えば特許文献１参照）。ユーザは、表示される情報から空気調和装置の運転状態を把握することができ、また、表示されたスイッチをタッチすることによって、空気調和装置の電源の投入や設定温度の変更などを行うことができる。
【先行技術文献】
【特許文献】
【０００３】
【特許文献１】特開２００４−１２８７９２号公報
【発明の概要】
【発明が解決しようとする課題】
【０００４】
ユーザが要求する情報を、リモートコントロール装置の液晶ディスプレイに、表示させるためには、表示対象となる画像のデジタルデータを、液晶ディスプレイごとに規定されるフォーマットに変換する処理（以下、変換処理という）を行う必要がある。このため、当該装置のＣＰＵ（Central Processing Unit）には、この変換処理を行うための負荷がかかっている。
【０００５】
本発明は、上述に事情の下になされたもので、デジタル画像を表示する際に実行される処理を簡素化することで、ＣＰＵの負荷を軽減することを目的とする。
【課題を解決するための手段】
【０００６】
上記目的を達成するため、本発明の表示ユニットは、
画像のデジタルデータを、第１のレートで変調して出力する第１出力手段と、
前記第１のレートで変調された前記デジタルデータを、前記第１のレートよりも高い第２のレートで読み込み、読み込んだ前記デジタルデータを順次出力する第２出力手段と、
前記第２出力手段から出力された前記デジタルデータを記憶する記憶手段と、
前記記憶手段に記憶された前記デジタルデータによって規定される画像を表示する表示手段と、
を備える。
【発明の効果】
【０００７】
本発明によれば、第１のレートで出力された単位データを、第２のレートで読み込み、出力することで、画像のデジタルデータを表示手段が要求するフォーマットに変換することができる。この変換処理は、規則的で簡易な処理である。このため、当該処理をハードウエアによって実現することで、ＣＰＵの負荷を低減することが可能となる。
【図面の簡単な説明】
【０００８】
【図１】第１の実施形態に係る空調システムのブロック図である。
【図２】制御ユニットと表示ユニットのブロック図である。
【図３】デジタルデータの一例を模式的に示す図である。
【図４】シリアルインタフェースによって読み出された単位データを模式的に示す図である。
【図５】データ信号の読み込みタイミングを説明するための図である。
【図６】１ビットの単位データを、８ビットのデータに変換する手順を説明するための図である。
【図７】シリアルインタフェースの動作を説明するための図である。
【図８】液晶ディスプレイに表示される画像の一例を示す図である。
【図９】第２の実施形態に係る制御ユニットと表示ユニットのブロック図である。
【図１０】１ビットの単位データを、８ビットのデータに変換する手順を説明するための図である。
【図１１】１ビットの単位データを、８ビットのデータに変換する手順を説明するための図である。
【図１２】第３の実施形態に係る制御ユニットと表示ユニットのブロック図である。
【図１３】ダミーデータの挿入手順を説明するための図である。
【図１４】ダミーデータの挿入手順を説明するための図である。
【図１５】変形例に係る制御ユニットと表示ユニットのブロック図である。
【発明を実施するための形態】
【０００９】
《第１の実施形態》
以下、本発明の第１の実施形態を、図面を参照しつつ説明する。図１は本実施形態に係る空調システム１０の概略的な構成を示すブロック図である。空調システム１０は、室内を一定の温度及び湿度に維持するシステムである。図１に示されるように、この空調システム１０は、空気調和装置３０、空気調和装置３０に接続されたリモートコントロール装置２０を有している。
【００１０】
空気調和装置３０は、例えばコンプレッサ、ヒータ、電動ファンなどを有している。そして、リモートコントロール装置２０から通知される指令に基づいて、所定の温度に加熱或いは冷却した空気を吐出する。
【００１１】
リモートコントロール装置２０は、例えばユーザなどの指令を受け付けて、当該指令を空気調和装置３０に通知する。また、空気調和装置３０を構成する各部の運転状況などの情報を受信し、受信した情報に基づく画像を表示する。
【００１２】
このリモートコントロール装置２０は、図１に示されるように、制御ユニット２１、表示ユニット２２、入力インタフェース２３、及び外部インタフェース２４を有している。
【００１３】
図２は、制御ユニット２１と表示ユニット２２のブロック図である。制御ユニット２１は、集積回路がセラミックなどによってパッケージングされたＩＣチップとして構成されている。図２に示されるように、制御ユニット２１は、ＣＰＵ２１ａ、記憶部２１ｂ、シリアルインタフェース２１ｃ，２１ｄ、ＬＣＤインタフェース２１ｅを有している。
【００１４】
記憶部２１ｂは、ＣＰＵ２１ａの作業領域として用いられるＲＡＭ（Random Access Memory）や、各種データを記憶するＲＯＭ（Read Only Memory）を有している。この記憶部２１ｂは、ＣＰＵ２１ａによって実行されるプログラム、表示ユニット２２に表示される画像に関する情報を記憶している。また、空気調和装置３０から送信される温度或いは出力に関する情報や、ＣＰＵ２１ａによって実行される処理の結果などを逐次記憶する。
【００１５】
ＣＰＵ２１ａは、記憶部２１ｂに記憶された画像に関する情報と、空気調和装置３０から送信される情報とに基づいて、表示ユニット２２に表示させる画像のデジタルデータＰＤを生成する。図３は、デジタルデータＰＤの一例を模式的に示す図である。図３に示されるように、デジタルデータＰＤは、ｍ行ｎ列のマトリクス状に配置された１ビットの単位データＰ（ｘ，ｙ）から構成されている。なお、ｘは１からｎまでの整数であり、ｙは１からｍまでの整数である。ＣＰＵ２１ａは、デジタルデータＰＤを生成し、記憶部２１ｂに保存する。
【００１６】
シリアルインタフェース２１ｃは、本来制御ユニット２１の外部装置と、信号の送受信を行うためのインタフェースである。このシリアルインタフェース２１ｃは、ＣＰＵ２１ａの指示に基づいて、記憶部２１ｂに記憶されたデジタルデータＰＤを構成する単位データＰ（ｘ、ｙ）を、所定のボーレートＡで順次読み出す。そして、読み出した単位データＰ（ｘ，ｙ）に基づいて変調されたデータ信号を生成し出力する。
【００１７】
例えば図４には、シリアルインタフェース２１ｃによって読み出された単位データＰ（ｘ、ｙ）が模式的に示されている。図４に示されるように、単位データＰ（ｘ，ｙ）は、フレーム長がボーレートの逆数で示される。また、図４では、着色されたフレームが値が１である単位データＰ（ｘ，ｙ）を示し、着色されていないフレームが値が０である単位データＰ（ｘ，ｙ）を示している。
【００１８】
シリアルインタフェース２１ｃは、例えば図４に示されるように、値が１である単位データＰ（ｘ，ｙ）に対応するところがハイレベルとなり、値が０である単位データＰ（ｘ，ｙ）に対応するところがローレベルとなるデータ信号ＤＳ１を生成し出力する。
【００１９】
このシリアルインタフェース２１ｃから出力されたデータ信号ＤＳ１は、制御ユニット２１の外部に設けられたジャンパ線などを介して、シリアルインタフェース２１ｄに入力される。
【００２０】
シリアルインタフェース２１ｄは、シリアルインタフェース２１ｃと同様に、本来制御ユニット２１の外部装置と、信号の送受信を行うためのインタフェースである。このシリアルインタフェース２１ｄは、ＣＰＵ２１ａの指示に基づいて、例えばボーレートＡの８倍のレートで、データ信号ＤＳ１の値を読み込む。
【００２１】
例えばシリアルインタフェース２１ｄは、図５中の矢印に示されるタイミングで、データ信号ＤＳ１の値を読み込む。そして、読み込んだ情報を、１ビットのデータとして取得する。これにより、図６を参照するとわかるように、１ビットの単位データＰ（１，１）が、８つのデータＤ１（１，１）〜Ｄ８（１，１）に変換される。同様に単位データＰ（１，２）…Ｐ（ｍ，ｎ）それぞれも、８つのデータＤ１（１，２）〜Ｄ８（１，２）…Ｄ１（ｍ，ｎ）〜Ｄ８（ｍ，ｎ）に変換される。つまり、１ビットの単位データは、８ビットのデータに変換される。
【００２２】
シリアルインタフェース２１ｄは、図７を参照するとわかるように、１ビットの単位データＰ（ｍ，ｎ）が変換されることにより生成された８つのデータＤ１（ｍ，ｎ）〜Ｄ２（ｍ，ｎ）を、８ビット単位で保持する。
【００２３】
図２に戻り、ＬＣＤインタフェース２１ｅは、表示ユニット２２が接続されたインタフェースである。このＬＣＤインタフェース２１ｅは、シリアルインタフェース２１ｄに保持されたデータＤ１（ｍ，ｎ）〜Ｄ８（ｍ，ｎ）を８ビット単位のパラレルデータとして出力する。
【００２４】
具体的には、ＬＣＤインタフェース２１ｅは、シリアルインタフェース２１ｄに保持されたデータＤ１（ｍ，ｎ）〜Ｄ８（ｍ，ｎ）を８ビットのパラレルデータとして抽出する。そして、８つのデータＤ１（ｍ，ｎ）〜Ｄ２（ｍ，ｎ）を変調して、データ信号ＤＳ２を生成し、このデータ信号ＤＳ２を表示ユニット２２へ出力する。
【００２５】
図２に示されるように、表示ユニット２２は、ＬＣＤコントローラ２２ａと、液晶ディスプレイ２２ｂを有している。
【００２６】
ＬＣＤコントローラ２２ａは、液晶ディスプレイ２２ｂに表示される画像を規定するデータを記憶するＶＲＡＭ（Video Random Access Memory）を有している。このＬＣＤコントローラ２２ａは、データ信号ＤＳ２を復調することにより、データＤ１（ｍ，ｎ）〜Ｄ８（ｍ，ｎ）を抽出する。そして、抽出したデータＤ１（ｍ，ｎ）〜Ｄ８（ｍ，ｎ）をＶＲＡＭに順次保存する。
【００２７】
液晶ディスプレイ２２ｂは、例えば１ピクセルが８ビットのデータにより制御される表示素子である。この液晶ディスプレイ２２ｂは、ＶＲＡＭ記憶されたデータＤ１（ｍ，ｎ）〜Ｄ８（ｍ，ｎ）を参照し、データＤ１（ｍ，ｎ）〜Ｄ８（ｍ，ｎ）によって規定される画像を表示する。
【００２８】
図１に戻り、入力インタフェース２３は、タッチパネルや、押しボタンなどから構成されている。ユーザからの入力は、この入力インタフェース２３を介して、ＣＰＵ２１ａに通知される。
【００２９】
外部インタフェース２４は、空気調和装置３０との通信を行う。制御ユニット２１は、この外部インタフェース２４を介して、ユーザからの入力に応じた指令を、空気調和装置３０へ通知する。また、制御ユニット２１は、空気調和装置３０の出力や、設定温度などに関する情報を、外部インタフェース２４を介して取得する。
【００３０】
上述のように構成された空調システム１０では、制御ユニット２１は、ユーザからの入力が通知されると、入力の内容に基づいて表示ユニット２２に表示させる画像を決定し、この画像のデジタルデータＰＤを生成する。
【００３１】
例えば、制御ユニット２１は、図８に示される画像ＰＨを表示ユニット２２に表示させる場合には、空気調和装置３０から取得した情報と、予め記憶部２１ｂに記憶されている画像に関する情報に基づいて、画像ＰＨを規定するためのデジタルデータＰＤを生成する。そして、デジタルデータＰＤを構成する単位データを、上述した手順で８ビットのデータに変換して、表示ユニット２２へ出力する。これにより、表示ユニット２２には、図８に示される画像ＰＨが表示される。
【００３２】
以上説明したように、本実施形態では、ボーレートＡで変調され出力されたデータ信号ＤＳ１が、ボーレートＡの８倍のレートで読み込まれる。これにより、１ビットのデータが、液晶素子が要求する８ビットのデータに変換される。この処理は、シリアルインタフェース２１ｃとシリアルインタフェース２１ｄによって実現されるので、ＣＰＵ２１ａの負荷が低減される。
【００３３】
なお、上記実施形態では、１ビットのデータを８ビットのデータに変換する場合について説明したが、本発明はこれに限定されるものではない。例えば、ボーレートＡで変調されたデータ信号ＤＳ１を、ボーレートＡの４倍のレートで読み込むことで、１ビットのデータを４ビットのデータに変換することとしてもよい。また、ボーレートＡで変調されたデータ信号ＤＳ１を、ボーレートＡの２倍のレートで読み込むことで、１ビットのデータを２ビットのデータに変換することとしてもよい。
【００３４】
また、上記実施形態では、シリアルインタフェース２１ｃから出力されるデータ信号ＤＳ１が、制御ユニット２１の外部に配置されたジャンパ線等を介して、シリアルインタフェース２１ｄへ入力される場合について説明した。これに限らず、データ信号ＤＳ１が、例えば制御ユニット２１の内部配線を経由して、シリアルインタフェース２１ｄに出力されることとしてもよい。
【００３５】
《第２の実施形態》
次に、本発明の第２の実施形態について図面を参照しつつ説明する。なお、上記第１の実施形態と同一又は同等の構成については、同等の符号を用いるとともに、その説明を省略又は簡略する。図９は、本実施形態に係る制御ユニット２１Ａと表示ユニット２２のブロック図である。本実施形態に係る制御ユニット２１Ａは、クロック発信部２１ｆからのクロック信号ＣＬ２に同期して、データ信号ＤＳ１の値を読み込む点で、第１の実施形態に係る制御ユニット２１と相違する。
【００３６】
制御ユニット２１Ａのシリアルインタフェース２１ｃは、単位データＰ（ｘ、ｙ）に対応した図１０に示されるデータ信号ＤＳ１を、シリアルインタフェース２１ｄに出力するとともに、単位データＰ（ｘ、ｙ）のフレームに対応した周期Ｔ１のクロック信号ＣＬ１を、クロック発信部２１ｆに出力する。
【００３７】
クロック発信部２１ｆは、クロック信号ＣＬ１の立ち上がりを検出する。そして、周期Ｔ２のクロック信号ＣＬ２を生成し、シリアルインタフェース２１ｄへ出力する。この、クロック信号ＣＬ２の周期Ｔ２は、クロック信号ＣＬ１の周期Ｔ１の、１／８以下となっている。また、クロック発信部２１ｆは、クロック信号ＣＬ２を、８クロック分だけシリアルインタフェース２１ｄへ出力する。このため、クロック信号ＣＬ１の周期Ｔ１に相当する時間が経過するごとに、８クロック分のクロック信号ＣＬ２が出力される。
【００３８】
シリアルインタフェース２１ｄは、入力されたクロック信号ＣＬ２の立ち上がりに同期して、データ信号ＤＳ１の値を読み込む。そして、読み込んだ情報を、１ビットのデータとして取得する。これにより、図１１を参照するとわかるように、１ビットの単位データＰ（１，１）が、８つのデータＤ１（１，１）〜Ｄ８（１，１）に変換される。同様に単位データＰ（１，２）…Ｐ（ｍ，ｎ）それぞれも、８つのデータＤ１（１，２）〜Ｄ８（１，２）…Ｄ１（ｍ，ｎ）〜Ｄ８（ｍ，ｎ）に変換される。つまり、１ビットの単位データは、８ビットのデータに変換される。
【００３９】
シリアルインタフェース２１ｄは、１ビットの単位データＰ（ｍ，ｎ）が変換されることにより生成された８つのデータＤ１（ｍ，ｎ）〜Ｄ８（ｍ，ｎ）を、８ビット単位で保持する。
【００４０】
ＬＣＤインタフェース２１ｅは、シリアルインタフェース２１ｄに保持されたデータＤ１（ｍ，ｎ）〜Ｄ８（ｍ，ｎ）を８ビット単位のパラレルデータとして出力する。具体的には、ＬＣＤインタフェース２１ｅは、シリアルインタフェース２１ｄに保持されたデータＤ１（ｍ，ｎ）〜Ｄ８（ｍ，ｎ）を８ビットのパラレルデータとして抽出する。そして、８つのデータＤ１（ｍ，ｎ）〜Ｄ２（ｍ，ｎ）を変調して、データ信号ＤＳ２を生成し、このデータ信号ＤＳ２を表示ユニット２２へ出力する。
【００４１】
表示ユニット２２のＬＣＤコントローラ２２ａは、データ信号ＤＳ２を復調することにより、データＤ１（ｍ，ｎ）〜Ｄ８（ｍ，ｎ）を抽出する。そして、抽出したデータＤ１（ｍ，ｎ）〜Ｄ８（ｍ，ｎ）をＶＲＡＭに順次保存する。これにより、液晶ディスプレイ２２ｂに、ＶＲＡＭ記憶されたデータＤ１（ｍ，ｎ）〜Ｄ８（ｍ，ｎ）によって規定される画像が表示される。
【００４２】
以上説明したように、本実施形態では、ボーレートＡで変調され出力されたデータ信号ＤＳ１が、クロック信号ＣＬ２の立ち上がりに同期して、ボーレートＡの８倍のレートで読み込まれる。これにより、１ビットのデータが、液晶素子が要求する８ビットのデータに変換される。この処理は、シリアルインタフェース２１ｃ、シリアルインタフェース２１ｄ、及びクロック発信部２１ｆによって実現されるので、ＣＰＵ２１ａの負荷が低減される。
【００４３】
なお、上記実施形態では、１ビットのデータを８ビットのデータに変換する場合について説明したが、本発明はこれに限定されるものではない。例えば、クロック信号ＣＬ２のクロック数を調整して、ボーレートＡで変調されたデータ信号ＤＳ１を、ボーレートＡの４倍のレートで読み込むことで、１ビットのデータを４ビットのデータに変換することとしてもよい。また、ボーレートＡで変調されたデータ信号ＤＳ１を、ボーレートＡの２倍のレートで読み込むことで、１ビットのデータを２ビットのデータに変換することとしてもよい。
【００４４】
《第３の実施形態》
次に、本発明の第３の実施形態について図面を参照しつつ説明する。なお、上記第１の実施形態及び第２の実施形態と同一又は同等の構成については、同等の符号を用いるとともに、その説明を省略又は簡略する。図１２は、本実施形態に係る制御ユニット２１Ｂと表示ユニット２２のブロック図である。本実施形態に係る制御ユニット２１Ｂは、デジタルデータにダミーデータを挿入する点で上記各実施形態と相違する。
【００４５】
図１２に示されるように、制御ユニット２１Ｂは、クロック発信部２１ｇと、クロック合成部２１ｈと、セレクタ２１ｉを有している。
【００４６】
クロック発信部２１ｇは、クロック信号ＣＬ１を監視し、図１３に示されるように、当該クロック信号ＣＬ１の奇数番目の立ち上がりから、時間ｄｔ１だけ遅れて立ち上がり、所定時間経過するまでハイレベルとなるクロック信号ＣＬ３を生成する。そして、このクロック信号ＣＬ３を、クロック合成部２１ｈ及びセレクタ２１ｉへ出力する。なお、クロック発信部２１ｇは、時間ｄｔ１とクロック信号ＣＬ３のパルス幅を設定するレジスタを保持し、ＣＰＵ２１ａは、当該レジスタを変更することで、時間ｄｔ１とクロック信号ＣＬ３のパルス幅を設定することができるようになっている。
【００４７】
クロック合成部２１ｈは、クロック発信部２１ｆから出力されるクロック信号ＣＬ２と、クロック信号ＣＬ３とを合成して、クロック信号ＣＬ４を生成する。そして、このクロック信号ＣＬ４を、シリアルインタフェース２１ｄへ出力する。
【００４８】
セレクタ２１ｉは、入力されるクロック信号ＣＬ３を監視し、クロック信号ＣＬ３の立ち上がりから時間ｄｔ２が経過するまでの間にダミーデータＤＤが変調されたデータ信号ＤＳ３を出力し、それ以外のときにデータ信号ＤＳ１を出力する。
【００４９】
シリアルインタフェース２１ｄは、クロック信号ＣＬ４の立ち上がりに同期して、データ信号ＤＳ１或いはデータ信号ＤＳ３の値を読み込む。そして、読み込んだ情報を、１ビットのデータとして取得する。図１４を参照するとわかるように、これにより、単位データＰ（１，１）が変換された５つのデータＤ１（１，１）〜Ｄ５（１，１）と、単位データＰ（１，２）が変換された５つのデータＤ１（１，２）〜Ｄ５（１，２）と、これらのデータＤ１（１，１）〜Ｄ５（１，１）とデータＤ１（１，２）〜Ｄ５（１，２）とを区分するダミーデータＤＤとからなるデジタルデータが生成される。
【００５０】
以上説明したように、本実施形態では、データＤ１（ｉ，ｊ−１）〜Ｄ５（ｉ，ｊ−１）とデータＤ１（ｉ，ｊ）〜Ｄ５（ｉ，ｊ）との間にダミーデータＤＤが挿入されたデジタルデータが生成される。これにより、液晶素子が要求するフォームにダミーデータが含まれている場合にも、液晶素子が要求するデータの生成を、ハードウエアで実現することが可能となる。
【００５１】
なお、上記実施形態では、データＤ１（ｉ，ｊ−１）〜Ｄ５（ｉ，ｊ−１）とデータＤ１（ｉ，ｊ）〜Ｄ５（ｉ，ｊ）の間にダミーデータが挿入される場合について説明した。ダミーデータが挿入される位置は、クロック信号ＣＬ３の時間ｄｔｉを調整することで、任意の箇所に設定することができる。
【００５２】
また、本実施形態では、クロック信号ＣＬ３は、クロック信号ＣＬ１の奇数番目の立ち上がりから、時間ｄｔ１だけ遅れて立ち上がり、所定時間経過するまでハイレベルとなる。これに限らず、クロック信号ＣＬ３は、クロック信号ＣＬ１の奇数番目の立ち上がりから、時間ｄｔ１だけ遅れて立ち下がり、所定時間経過するまでローレベルとなることとしてもよい。この場合にも、クロック信号ＣＬ２とクロック信号ＣＬ３とから、クロック信号ＣＬ４と等価な信号を得ることができる。
【００５３】
また、本実施形態では、クロック合成部２１ｈ，セレクタ２１ｉが、制御ユニット２１Ｂに形成されている。これに限らず、クロック合成部２１ｈ，セレクタ２１ｉ等は、制御ユニット２１Ｂとは別のユニットとして構成されていてもよい。
【００５４】
以上、本発明の実施形態について説明したが、本発明は上記実施形態によって限定されるものではない。例えば上記実施形態では、１ビットのデータを８ビットのデータに変換する場合について説明した。これに限らず、制御ユニット２１は、ユーザからの指示に基づいて、変換レートを変更し、１ビットのデータを所望のビット数のデータに変換することとしてもよい。この変換レートは、例えば図１５に示されるように、入力インタフェース２３を介して、ＣＰＵ２１ａに通知されることとしてもよい。また、入力インタフェース２３を介して、液晶素子に応じたフォーマットがＣＰＵ２１ａに通知されることとしてもよい。
【００５５】
この場合、ＣＰＵ２１ａは、ＬＣＤインタフェース２１ｅを介してテストデータを表示手段に出力することとしてもよい。これにより、ユーザは、表示画面の内容に基づいて、変換レート等を入力することが可能となる。
【００５６】
また、上記実施形態では、リモートコントロール装置２０が、空気調和装置３０の制御を行う場合について説明したが、本発明はこれに限定されるものではない。また、本実施形態に係る制御ユニット２１及び表示ユニット２２を、携帯電話に代表される通信端末など、リモートコントロール装置以外の機器に用いてもよい。
【００５７】
また、上記実施形態では、例えばクロック信号ＣＬ１の立ち上がりに同期して、クロック信号ＣＬ２を出力した。これに限らず、クロック信号ＣＬ１の立ち下がりに同期して、各種信号を生成或いは出力することとしてもよい。
【００５８】
また、上記実施形態では、クロック信号ＣＬ２の立ち上がりに同期して、データ信号ＤＳ１の値を読み込むこととした。これに限らず、クロック信号ＣＬ２の立ち下がりに同期して、データ信号ＤＳ１の値を読み込むこととしてもよい。
【００５９】
要するに、クロック信号の立ち上がり或いは立ち下がりのうちの一方を基準に動作が規定されればよい。このため、上記実施形態における信号とは、ハイレベルとローレベルとが逆の信号を用いて、各部の動作を規定することとしてもよい。
【００６０】
また、各クロック信号、データ信号の送信ルートは上記実施形態の場合に限定されるものではない。例えば、各クロック信号、データ信号は、制御ユニット２１の内部配線を経由して送信されることとしてもよい。
【００６１】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、特許請求の範囲によって示される。そして、特許請求の範囲内及びそれと同等の発明の意義の範囲内で施される様々な変形が、本発明の範囲内とみなされる。
【産業上の利用可能性】
【００６２】
本発明の表示ユニット及び表示方法は画像の表示に適している。また、本発明のリモートコントロール装置は、被操作機器の制御に適している。
【符号の説明】
【００６３】
１０  空調システム
２０  リモートコントロール装置
２１，２１Ａ，２１Ｂ  制御ユニット
２１ａ  ＣＰＵ
２１ｂ  記憶部
２１ｃ，２１ｄ  シリアルインタフェース
２１ｅ  ＬＣＤインタフェース
２１ｆ，２１ｇ  クロック発信部
２１ｈ  クロック合成部
２１ｉ  セレクタ
２２  表示ユニット
２２ａ  ＬＣＤコントローラ
２２ｂ  液晶ディスプレイ
２３  入力インタフェース
２４  外部インタフェース
３０  空気調和装置
ＣＬ１〜ＣＬ４  クロック信号
Ｄ  データ
ＤＤ  ダミーデータ
ＤＳ１〜ＤＳ３  データ信号
Ｐ  単位データ
ＰＤ  デジタルデータ
ＰＨ  画像
【図１】
2011244242.tif 000003
【図２】
2011244242.tif 000004
【図３】
2011244242.tif 000005
【図４】
2011244242.tif 000006
【図５】
2011244242.tif 000007
【図６】
2011244242.tif 000008
【図７】
2011244242.tif 000009
【図８】
2011244242.tif 000010
【図９】
2011244242.tif 000011
【図１０】
2011244242.tif 000012
【図１１】
2011244242.tif 000013
【図１２】
2011244242.tif 000014
【図１３】
2011244242.tif 000015
【図１４】
2011244242.tif 000016
【図１５】
2011244242.tif 000017